(57)【特許請求の範囲】
【請求項１】
車体側に固設されるハウジングと、該ハウジングに出し入れ可能に支承されて前部側に第一小物入れを画成する収納凹部を有し後部側に第二小物入れを有するトレーとを備えて、当該トレーの収納凹部の内側を照明手段を介して照明する自動車用照明装置付き小物入れであって、上記ハウジングの上壁の一側寄り長手方向にスリットを形成し、トレーの収納凹部壁に採光窓を形成する一方、照明手段は、上記収納凹部の採光窓と対向して位置する投光部と、トレーの裏面側及びハウジングの上壁表面側に沿って配される導入部とから成り、該導入部は、トレーの裏面から表面を経て上記ハウジングのスリット内をスライドするスライド部位と、ハウジング側に固定される固定部位と、該固定部位と上記スライド部位とを結んでハウジングの上壁中央部を越えて横切る横断部位とを有することを特徴とする自動車用照明装置付き小物入れ。
【請求項２】
ハウジングのスリットの周縁にガイド部を設け、導入部のスライド部位に当該ガイド部に滑動可能に係合する係合部を設けたことを特徴とする請求項１記載の自動車用照明装置付き小物入れ。
【請求項３】
導入部のスライド部位は上側方に開口を有し、その開口巾は、トレーのハウジングに対する出し入れに伴う電線類の変動を許容する巾広となっていることを特徴とする請求項１記載の自動車用照明装置付き小物入れ。
【発明の詳細な説明】
【０００１】
【発明の属する技術分野】
本発明は、例えば、自動車のインストルメントパネル等に設置される照明装置付き小物入れに関するものである。
【０００２】
【従来の技術】
特開平７-３２９６２６号公報や特開平９−１６９２３６号公報には、ハウジング内に出し入れ可能に支承されるトレーに対して、その前部側に灰皿等の小物入れ部を設け、後部側にカップホルダー部を設ける構成が開示されている。
【０００３】
【発明が解決しようとする課題】
従って、斯かる構成の下では、トレーをハウジング内から引き出すことにより、灰皿等の小物入れ部とカップホルダー部とが同時に使用できる利点を有することとなるが、トレーをハウジング内から引き出した状態にあっては、前部側の小物入れ部がハウジングから外方に大きく引き出されることとなるので、当該小物入れ部の内側を適切な照度をもって照明することは、技術的に見ても、中々困難であった。
【０００４】
【課題を解決するための手段】
本発明は、斯かる実情に鑑み開発されたもので、請求項１記載の発明は、車体側に固設されるハウジングと、該ハウジングに出し入れ可能に支承されて前部側に第一小物入れを画成する収納凹部を有し後部側に第二小物入れを有するトレーとを備えて、当該トレーの収納凹部の内側を照明手段を介して照明する自動車用照明装置付き小物入れであって、上記ハウジングの上壁の一側寄り長手方向にスリットを形成し、トレーの収納凹部壁に採光窓を形成する一方、照明手段は、上記収納凹部の採光窓と対向して位置する投光部と、トレーの裏面側及びハウジングの上壁表面側に沿って配される導入部とから成り、該導入部は、トレーの裏面から表面を経て上記ハウジングのスリット内をスライドするスライド部位と、ハウジング側に固定される固定部位と、該固定部位と上記スライド部位とを結んでハウジングの上壁中央部を越えて横切る横断部位とを有する構成を採用した。
【０００５】
請求項２記載の発明は、請求項１を前提として、ハウジングのスリットの周縁にガイド部を設け、導入部のスライド部位に当該ガイド部に滑動可能に係合する係合部を設ける構成を採用した。
【０００６】
請求項３記載の発明は、請求項１を前提として、導入部のスライド部位は上側方に開口を有し、その開口巾は、トレーのハウジングに対する出し入れに伴う電線類の変動を許容する巾広となっている構成を採用した。
【０００７】
依って、請求項１記載の発明にあっては、例え、ハウジング内からトレーの収納凹部が外方に大きく引き出されていても、当該収納凹部の内側を照明手段によって十分に照明することが可能となるので、今までのものと比較すると、使い勝手が頗る良好となると共に、例え、トレーがハウジングに対して大きく出し入れされたとしても、照明手段の導入部の横断部位が、ハウジングの巾域を利用して小さく変動し、且つ、導入部のスライド部位の存在によって、電線類の捩じれ歪み率も小さく抑えられるので、電線類の耐久性の向上が大いに期待できる。又、導入部の横断部位は、上記スライド部位と固定部位間に直接的に位置決めされるので、取り付け上のバラツキが低減して、耐久性・品質を安定させることが可能となる。
【０００８】
請求項２記載の発明にあっては、これに加えて、トレーのハウジングに対する出し入れ時に、導入部のスライド部位がハウジング側のスリットのガイド部に沿って係合しながら滑動するので、トレーの出し入れが安定且つ滑らかに行われて、走行振動等によって、異音を発生する心配がない。
【０００９】
請求項３記載の発明にあっては、トレーのハウジングに対する出し入れに伴い、電線類が変動して捩じれようとしても、スライド部位の開口巾が電線類の変動を許容する巾広となっているので、少なくとも、このスライド部位の開口内においては、電線が自由に変動してその捩じれを吸収することが可能となるので、電線類の耐久性を更に向上できる。
【００１０】
【発明の実施の形態】
以下、本発明を図示する好適な実施の形態に基づいて詳述すれば、該実施の形態に係る自動車用照明装置付き小物入れは、図１に示す如く、自動車のインストルメントパネルに固設されるハウジング１と、該ハウジング１内に出し入れ可能に支承されるトレー１１と、照明手段３１とを備えるものである。
【００１１】
そして、ハウジング１に関しては、図示する如く、全体を箱状体に一体成形して、その矩形状の開口縁外側にインストルメントパネルに裏側からネジ止めされる複数のブラケット部２を形成する一方、両側壁の内面にトレー１１の出し入れを案内する一対のガイド凹溝３を形成すると共に、上壁の中央部長手方向に第一スリット４を連続して穿設して、当該第一スリット４の端縁にハウジング１側のストッパー手段となる隆起壁５を突設する構成となっている。
【００１２】
又、ハウジング１の上壁の一側寄り長手方向に第二スリット６を連続して穿設して、当該第二スリット６の後端部６ａ側を大きく刳り貫いて開放すると共に、第二スリット６の側縁全域にガイド部となる突条７を形成する一方、ハウジング１の他側寄り中央部に後述する照明手段３１のコネクタを止着する取付孔部８を設けて、該取付孔部８の近傍に円弧状を呈する一対の保護支柱９を立設する構成となっている。尚、図中、１０は、ハウジング１の後端中央部に設けられた湾曲状の保護壁である。
【００１３】
トレー１１に関しては、図示する如く、その前面側に採光窓１３を有する第一小物入れとなる収納凹部１２を画成すると共に、該収納凹部１２の後方に第二小物入れとなる２個の並列するカップホルダー部１４を夫々独立して設ける一方、並列するカップホルダー部１４の中央奥部に上記第一スリット４内を移動して、その端部の隆起壁５に当接することにより、トレー１１のハウジング１からの全開位置を規制する当接壁１５をスリット１６を介して設ける構成となっている。
【００１４】
又、トレー１１の後端部両側に対しては、後端部中央よりも奥側に伸長させて、その各外側面に上記一対のガイド凹溝３内をスライドする一対のガイド突起１７を一定の範囲に亘って形成すると共に、各上面にガタキツ防止用の板ばね１８を対の関係をもって設ける一方、その裏面側に対しては、図２に示す如く、上記収納凹部１２の採光窓１３の背面壁周縁に後述するカバー体の笠部を係合するコ字状を呈する一対の取付レール１９を形成すると共に、２個の並列するカップホルダー部１４の間にボス２０を立設し、且つ、奥側に伸長する一方の後端部内方に、後述するカバー体の逃がし溝２１を形成する構成となっている。
【００１５】
照明手段３１に関しては、一端部に投光部となるランプ３３が他端部に固定部位となる係止脚３５付のコネクタ３４が夫々接続された電線３２と、該電線３２を保護する略Ｌ字状を呈する樹脂製のカバー体３６とから成り、カバー体３６は、図示する如く、ランプ３３を囲む笠部３６ａと、上記ハウジング１側の第二スリット６内を移動するスライド部位となる駒部３６ｂと、該駒部３６ｂと笠部３６ａを連結するＵ字状の連結保持部３６ｃとを一体に備えるものである。
【００１６】
そして、図３にも示す如く、笠部３６ａに対しては、上記したコ字状の取付レール１９に係合する一対のフランジ３７を形成し、駒部３６ｂに対しては、全体を中空筒状となして、上記第二スリット６の突条７に滑動可能に係合する係合部となる係合片３８と第二スリット６の側縁裏面に当接する受け片３９を形成すると共に、上側方にトレー１１のハウジング１に対する出し入れに伴う電線３２の変動を許容する巾広な開口４０を形成し、連結保持部３６ｃに対しては、その中央部にトレー１１の裏面側に設けられたボス２０にネジ４２止めされる固定片４１を形成する構成となっている。従って、電線３２は斯かるカバー体３６によって保護されることとなるので、ハウジング１やトレー１１に当接して、ビビリ音を発生させる心配がない。
【００１７】
尚、上記巾広の開口４０の上下縁は、特に、図３のＢに示す如く、滑らかな曲面を呈して外側に向かう程拡開する形状となるように設定してあるので、その巾広寸法と相俟って、トレー１１のハウジング１に対する出し入れに伴う電線３２の変動を滑らかに促して、電線３２の自由な変動でその捩じれを吸収させ、且つ、曲げ応力を効果的に分散させることにより、電線３２の耐久性を向上できる構成となっている。又、駒部３６ｂの当該開口４０までの高さＨに関しては、トレー１１の裏面側から表面を経て上記ハウジング１の第二スリット６内でスライドできる十分な高さが付与されているので、例え、駒部３６ｂの内部で電線３２が摩擦抵抗を受けたとしても、捩じれて断線する心配もない。
【００１８】
依って、斯かる構成の自動車用照明装置付き小物入れにあっては、まず、図４に示す如く、ハウジング１の第二スリット６の大きく刳り貫かれた開放後端部６ａにカバー体３６の笠部３６ａを差し込みながら、ハウジング１内に徐々に押し込んで、図５に示す如く、カバー体３６の駒部３６ｂを第二スリット６内に臨ましめて、その係合片３８と受け片３９とで第二スリット６の側縁を内外側から挾持すると同時に、コネクタ３４をその係止脚３５を利用して外側からハウジング１の取付孔部８に止着して、インストルメントパネルＰの裏面側に設けられているボス部Ｂにハウジング１の各ブラケット部２をネジ４３止めする。尚、この時には、コネクタ３４は、既に、インストルメントパネルＰの裏側に位置しているので、電源側のコネクタ（図示せず）と容易に接続できる。
【００１９】
次いで、今度は、図６に示す如く、インストルメントパネルＰの表面側からその開放口Ｐａを利用してトレー１１の後端部をハウジング１内に押し込んで、ハウジング１の第一スリット４内に当接壁１５を嵌入して、ハウジング１にトレー１１を出し入れ可能に組み込んだ後、図７に示す如く、トレー１１の裏面側から、カバー体３６の笠部３６ａのフランジ３７を採光窓１３側の取付レール１９に係合すると同時に、連結保持部３６ｃをその固定片４１を介してボス２０にネジ４２止めすれば、これにより、トレー１１の裏面側に照明手段３１を簡単に固定できる。尚、この状態では、カバー体３６の駒部３６ｂの近傍が上記した逃がし溝２１に受け入れられることとなるので、駒部３６ｂは何の問題もなく第二スリット６内に臨むことが可能となる。
【００２０】
従って、後は、従来と同様に、ハウジング１内にトレー１１を押し込めば、その不使用状態が得られ、逆に、当接壁１５が隆起壁５に当接するまで、トレー１１をハウジング１内から引き出せば、第一小物入れとしての収納凹部１２と第二小物入れとしてのカップホルダー部１４の同時の使用状態が得られる訳であるが、この時には、いずれにしても、カバー体３６の駒部３６ｂが第二スリット６内をその突条７に沿って円滑に滑動することとなるので、照明手段３１の存在が、トレー１１の出し入れに支障を来す心配は全くないばかりか、トレー１１の出し入れが安定且つ滑らかに行われて、走行振動等によって、異音を発生する心配がない。
【００２１】
又、駒部３６ｂとコネクタ３４間で露呈する横断部位となる電線３２は、ハウジング１の巾域を利用して、ハウジング１の上壁中央部を越えて横切ることとなるが、一対の保護支柱９と保護壁１０とによりその変動が保護されながら小さく抑えられることとなるので、上記した駒部３６ｂの巾広開口４０の作用と相俟って、断線する恐れも決してない。しかも、当該電線３２は、ハウジング１の略目一杯の広い巾域を利用して横切ることとなるので、トレー１１のハウジング１に対する出し入れに伴う揺動角度も小さく抑えられる結果、この点からも、屈曲や捩じれを効果的に防止して、電線３２とコネクタ３４の接続部をも保護できる。
【００２２】
その上、カバー体３６の連結保持部３６ｃは、図示する如く、トレー１１の裏側において、２個の並列するカップホルダー部１４の間を通って取り付けられることとなるので、照明手段３１自体が邪魔となることはないが、ハウジング１から大きく引き出された収納凹部１２の内側中央部をその採光窓１３を介して十分に照明することができるので、小物入れとしての使い勝手も頗る向上する。尚、この場合に、収納凹部１２を小物入れとして使用する場合には、採光窓１３に透明板を嵌着することが好ましい。
【００２３】
尚、本実施の形態の下では、トレー１１の収納凹部１２を直接小物入れとして使用するものであるが、本発明は、これに限定されるものではなく、当該収納凹部１２に灰皿容器やその他の容器を別に収納して、これらの容器を介して小物入れとして利用することも実施に応じに任意である。又、本実施の形態においては、照明手段３１側のコネクタ３４をハウジング１側の取付孔部８に固定的に止着したものであるが、当該取付孔部８を扇状となして、電線３２の変動又は揺動に応じてコネクタ３４も揺動できるように構成すれば、電線３２の屈曲や捩じれ等を小さくして、電線３２自体の耐久性の向上や振動異音の防止に貢献できることとなる。更に、照明手段３１に関しては、上記のものに限定されるものではなく、光ファイバー方式を利用できることは勿論であるが、この場合には、符号３４が車載側の光源、同３２が光ファイバー、同３３が光ファイバーの端部投光部となる。
【００２４】
【発明の効果】
以上の如く、本発明は、上記構成の採用により、請求項１にあっては、例え、ハウジング内からトレーの収納凹部が外方に大きく引き出されていても、当該収納凹部の内側を照明手段によって十分に照明することが可能となるので、今までのものと比較すると、使い勝手が頗る良好となると共に、例え、トレーがハウジングに対して大きく出し入れされたとしても、照明手段の導入部の横断部位が、ハウジングの巾域を利用して小さく変動し、且つ、導入部のスライド部位の存在によって、電線類の捩じれ歪み率も小さく抑えられるので、電線類の耐久性の向上が大いに期待できる。又、導入部の横断部位は、上記スライド部位と固定部位間に直接的に位置決めされるので、取り付け上のバラツキが低減して、耐久性・品質を安定させることが可能となる。
【００２５】
請求項２の下では、これに加えて、トレーのハウジングに対する出し入れ時に、導入部のスライド部位がハウジング側のスリットのガイド部に沿って係合しながら滑動するので、トレーの出し入れが安定且つ滑らかに行われて、走行振動等によって、異音を発生する心配がない。
【００２６】
請求項３の下では、トレーのハウジングに対する出し入れに伴い、電線類が変動して捩じれようとしても、スライド部位の開口巾が電線類の変動を許容する巾広となっているので、少なくとも、このスライド部位の開口内においては、電線が自由に変動してその捩じれを吸収することが可能となるので、電線類の耐久性を更に向上できる。
【図面の簡単な説明】
【図１】本発明の実施の形態に係る自動車用照明装置付き小物入れを示す分解斜視図である。
【図２】トレーを裏面側から示す斜視図である。
【図３】（Ａ）は照明手段のカバー体を逆側から示す斜視図、（Ｂ）は図３ＡのＡ-Ａ線断面図である。
【図４】照明手段をハウジング側に組み付ける初期の段階を示す説明図である。
【図５】照明手段をハウジング側に組み付けてインストルメントパネル側に固設する直前の状態を示す説明図である。
【図６】インストルメントパネル側に先付けされたハウジングにトレーを組み付けた状態を示す説明図である。
【図７】トレーの裏面側に照明手段を固定した状態を示す説明図である。
【符号の説明】
１      ハウジング
２      ブラケット部
３      ガイド凹溝
４      第一スリット
５      隆起壁
６      第二スリット
６ａ    第二スリットの開放後端部
７      突条（ガイド部）
８      取付孔部
９      保護支柱
１０    保護壁
１１    トレー
１２    収納凹部（第一小物入れ）
１３    採光窓
１４    カップホルダー部（第二小物入れ）
１５    当接壁
１７    ガイド突起
１９    取付レール
２０    ボス
２１    逃がし溝
３１    照明手段
３２    電線
３３    ランプ（投光部）
３４    コネクタ（固定部位）
３５    係止脚
３６    カバー体
３６ａ  笠部
３６ｂ  駒部（スライド部位）
３７    フランジ
３８    係合片（係合部）
３９    受け片
４０    開口
４１    固定片
４２    ネジ
４３    ネジ
Ｐ      インストルメントパネル
Ｂ      ボス部
Ｐａ    開放口
【図１】
0004064538.tif 000002
【図２】
0004064538.tif 000003
【図３】
0004064538.tif 000004
【図４】
0004064538.tif 000005
【図５】
0004064538.tif 000006
【図６】
0004064538.tif 000007
【図７】
0004064538.tif 000008